(57)【要約】【課題】  マンションの居室部分の一部に配設されスペースのより良き有効利用をするための収納構造体を提供する。【解決手段】  マンションにおける居室部分の一部に据え付けられる収納構造体であって、マンションの床と天井との間の空間に、柱または壁、および梁により構成された支持体により支持された、所定の形状を有する中間床を設け、前記中間床の周辺が、マンション床と中間床との間、および中間床とマンション天井との間において開閉可能な建具、および壁により囲まれており、また前記所定の形状を方形とし、床面積を２〜５ｍ2 でとした収納構造体。【選択図】  図１
0003114870.tif 000002
【実用新案登録請求の範囲】
【請求項１】
マンションにおける居室部分の一部に据え付けられる収納構造体であって、マンションの床と天井との間の空間に、柱または壁、および梁により構成された支持体により支持された、所定の形状を有する中間床を設けたことを特徴とする収納構造体。
【請求項２】
前記中間床の周辺が、マンション床と中間床との間、および中間床とマンション天井との間において開閉可能な建具、および壁により囲まれていることを特徴とする請求項１に記載の収納構造体。
【請求項３】
前記所定の形状は、方形であることを特徴とする請求項１または２に記載の収納構造体。
【請求項４】
前記所定の形状の床面積が、２〜５ｍ2であることを特徴とする請求項１〜３のいずれか１項に記載の収納構造体。
【考案の詳細な説明】
【技術分野】
【０００１】
本考案は、マンションの居室部分の一部に配設される収納構造体に関するものである。
【背景技術】
【０００２】
マンションの需要の推移は、いわゆるバブル期の建設ブーム時期から、中堅サラリーマンの都心離れ時期を経て、交通や日常生活の利便性の点から再び都心のマンションに対する回帰現象が起こってきている。
しかしながら、マンションは、価格的にも、面積的にも限られた空間をもって建設されており、その空間そのもの、特に居住空間そのものも必ずしも十分な空間が確保されているとは言えないものもある。
従って、収納家具を間仕切り兼用に利用する（例えば、特許文献１参照）とか、Ｌ字形配列の隅部に適用する収納家具（例えば、特許文献２参照）など、限られた空間を如何に効率よく利用するかの工夫が試みられている。
しかしながら、限られた収納家具によるスペース利用では、必ずしもスペースを有効利用した感が生じていない嫌いもあり、このスペースのより良い有効利用方法に対する強い要望があった。
【特許文献１】特開２００４−３１３５９９号公報
【特許文献２】特開２００５−１０２９７４号公報
【考案の開示】
【考案が解決しようとする課題】
【０００３】
本考案は、上記のマンションにおけるスペースのより良き有効利用に対する要望に鑑み、利用価値の自由度の高い、また居住空間との十分なマッチングを有する収納構造体を提供するところにその目的がある。
【課題を解決するための手段】
【０００４】
本考案の収納構造体は、
１）マンションにおける居室部分の一部に据え付けられる収納構造体であって、マンションの床と天井との間の空間に、柱または壁、および梁により構成された支持体により支持された、所定の形状を有する中間床を設けたものである。
２）上述の１）において、前記中間床の周辺を、マンション床と中間床との間、および中間床とマンション天井との間において開閉可能な建具、および壁により囲んだものであり、
３）上述１）または２）において、前記所定の形状を、方形としたものであり、
４）上述１）または３）において、前記所定の形状の床面積を、２〜５ｍ2 としたものである。
【０００５】
すなわち、本考案は、平安時代の十二単の着物に見られる伝統的な色の重ね方と同じように、日本の押入に代表される収納構造体を、現代的なマンションの居住空間にマッチングさせた収納構造体としたものである。
本考案は、マンションの居室部分の一部に、居室部分と十分マッチングした建具または／および壁で囲まれた空間をつくり、空間の中段部に新たな床状の棚構造体である中間床を設けることにより、上下段の二つの空間を生み出し、それぞれ立体的に利用できるようにした空間構成を特徴としている。
【０００６】
本考案の収納構造体は、建具、および壁で囲まれていることにより、建築基準法上では「収納」の扱いとなり、中段に設けられた床状の棚構造体は、容積率にカウントされる「床面積」とはならない。従って、通常容積率に目一杯に建設さるたマンションにおいても、この中間床は、床面積に加えられた「プラスアルファ」の空間境域として利用することができる。
従って、中間床の面積Ａは、収納空間としての面積として、人が中に入ってモノを収めたり、取り出したり、整理したり、といった作業が十分なし得る大きさであることを特徴としており、また、空間の高さは身長１８０ｃｍ程度の男性が座った状態で、移動や作業が容易に出来るとともに、腰をかがめた状態で移動したり、椅子に座ったりするにも十分な高さとしたものである。
【考案の効果】
【０００７】
本考案の収納構造体により、マンション等の居室部のスペースのより良き利用が可能であり、また居住空間との十分なマッチングを有する収納構造体を提供することができる。
【考案を実施するための最良の形態】
【０００８】
［実施の形態１］
図１は、本考案の実施の形態の１例を示す斜視説明図である。
図２は、図１において、上下段の建具を開放した状態を示す斜視説明図である。
図において、１は本実施の形態１の収納構造体、２は中間床の上下段に位置する側面壁支持体、３は中間床、４は中間床の下段に位置する側面壁支持体、５は中間床の上段に設けられた前面建具、６は中間床の下段に設けられた前面建具、８は中間床の上段に設けられた奥面壁支持体、９は中間床の下段に設けられた奥面壁支持体、１０は収納構造体の天井、１１は収納構造体の下段床、１３は昇降用踏み台、１４は昇降用手すり、２０はマンションの壁面、３０はマンションの床面、４０は湿気、臭気吸収建材である。
【０００９】
本実施の形態１の収納構造体１は、基本的にマンションの壁２０およびマンションの床３０により構成されるマンションの居室部の一部に所定の形状をもった中間床３をベースに設置される。ここで云う所定の形状とは、面積Ａを有する主として方形形状をいうが、必ずしも方形形状には限定されるものではない。しかし、中間床３の表面３１の面積Ａは、上述のごとく収納作業をしたり、椅子に座ったりするにのに十分な面積であり、且つ、居室部とのバランス上から余り大き過ぎても好ましくない。
経験的に、中間床３の表面３１の面積Ａは、２〜５ｍ2 程度であることが好ましい。
２ｍ2 以下では作業性が極めて悪くなり、また、５ｍ2 以上では平均的なマンションの居室部に対しバランスがとれず好ましくない。
【００１０】
収納構造体１は、設置場所の高さを２分する中間床３と、該中間床３を支持するための柱または壁、および梁により構成された支持体と、中間床３の周辺を囲む、マンション床３０と中間床３との間、および中間床３と収納構造体の天井１０との間において開閉自在な建具５、６または／および壁２、４、８、９により囲んだものである。
なお、支持体としての壁２、４、８、９はマンションの壁１０を、また収納構造体の天井１０はマンションの天井を利用することも出来る。
当然、中間床３を支持する支持体としての柱または壁および梁は、中間床３の上に人間（大人）および収納物が載って十分に耐えるだけの耐荷重を有するものでなければならない。
【００１１】
前記中間床３の上段および下段に位置する建具５、６は、中間床の所定の形状面積により２枚引戸または３枚引戸を使用することによって、建具５、６の部分を大きく開け放すことができ、これにより居室部との一体感、連続性を保ちつつ、高さの異なる中間床３が同一空間に存在している視覚的な不思議さ、違和感を与え、従来のマンションにはない全く新しい空間を創造することができる。
【００１２】
また、前記中間床３の上段に設けられた壁８または建具５の、少なくとも一方向面のものを透明または半透明、特には半透明とすることにより、建具５を閉めたときに外からみると、中のダウンライトの明かりが柔らく外部にもれ出し、大きな「行燈」のような雰囲気を醸し出して、洋風とも和風ともいえないモダンで新しい照明効果をつくりだすことができる。
また、前記中間床３の下段に設けられた壁９または建具６の、少なくとも一方向面のものを透光性とすることにより、閉鎖時には外から内部が見えないようにするとともに、透光性による「行燈」様の効果が醸し出され、また逆に中からは外からの光が薄く入り、外部の明かりを柔らかに感じとることができる。
【００１３】
下段床１１のレベルは、居室部の床３０と同レベルのフラットとすることが望ましい。
また、下段床１１の表面色彩を、居室部の床３０と同じくすることにより、居室部との一体感、連続性を保つことができる。
なお、建材５、６にはアルミフレームにアクリルパネルを嵌め込んだ軽量のものを使用することが好ましい。これにより、開閉の操作性が向上するとともに、開閉時の騒音を抑えることができる。
【００１４】
前記中間床３の上下空間における高さ方向配設位置は、作業性、居室部とのバランスの点から重要である。
これらに対する各種の実用試験の結果、通常のマンション構造（通常天井高さは２６００ｍｍ程度）においては、居室部床から中間床３の上面３１までの高さは１１００〜１３００ｍｍ程度、中間床３の上面３から天井７までの高さは１２５０〜１６００ｍｍ程度が好ましく、また居室部床から中間床３の下面３３までの高さは１０００〜１２００ｍｍ程度が好ましいとの知見を得た。
【００１５】
また、中間床３への昇降に便利なように、取り外し自在な梯子、または固定的な踏み台と、安全対策としての手すりを設けることができる。図１、２では、昇降用踏み台１３および手すり１４が固定的に設けられている。
【００１６】
本考案の実施の形態１における中間床３および壁２、４、８、９は、その配設位置と同時にその構造、形状、、表面模様、色彩は作業性、居室部とのバランスの点から重要な意味をもっている。
中間床３や壁２、４、８、９の構造としては、その中間床３上に乗る付帯的な家具や人間の荷重に対し、材料力学的に材料の選定、桟木の併用等を考慮した十分な耐荷重構造であることは論をまたないが、上下の密閉された空間と該空間内に配置される照明や電気製品の存在を考慮すると、中間床３および壁２、４、８、９には、応分の耐湿性や通風性を付与するための手段を施すことが好ましい。
吸湿板の添付や通気孔の配設等を考慮することができる。
【００１７】
また、中間床３の下段および上段空間を照明するライトについては、照明器具が天井面からぶら下がらないよう、天井埋め込み型のダウンライトを用いることが好ましい。また、上下段内の付帯設備として２口コンセントを設置して、必要に応じて、別途の照明器具を用いたり、電荷製品が利用できるようにすることができる。
【実施例】
【００１８】
図３は本実施例における、Ｋ．Ｎ．マンションのリビング・ダイニング・キッチンに収納構造体（ハッチングＡ部分）を設置した配置図を示す。
Ｐ．Ａ．マンション：  リビング・ダイニング・キッチン  約１５．９畳
収納構造体：
床面積：    約２．２畳×２層
居室部床面より下段の天井までの高さＨ2 ：約１０５０ｍｍ
中間床上面より天井までの高さＨ1 ：  約１４００ｍｍ
中間床厚さＴ：  約１５０ｍｍ
中間床上表面材料：リビング・ダイニング・キッチン床に同じフローリング
建  具：
上段側    正面    アルミフレーム３枚引き戸（鴨居、敷居式）、
半透明アクリル板（ｔ＝３ｍｍ）嵌め込み
左側面  アルミフレーム２枚引き戸（鴨居、敷居式）
半透明アクリル板（ｔ＝３ｍｍ）嵌め込み
下段側    正面    アルミフレーム３枚引き戸（鴨居、敷居式）
透光性（乳白色）アクリル板（ｔ＝３ｍｍ）嵌め込み
左側面  アルミフレーム２枚引き戸（鴨居、敷居式）
透光性（乳白色）アクリル板（ｔ＝３ｍｍ）嵌め込み
壁８、９：
リビング・ダイニング・キッチンの壁面と同じビニールクロス貼り、
上下段ともコンセント設置、
下段の一部壁には湿気、臭気を吸収する建材を貼付する。
照  明：      上下段とも天井埋め込み型ダウンライト
【００１９】
本実施例による収納構造体１は、リビング・ダイニング・キッチンとの色彩マッチングもよく、デッドスペース的なＡ部が立体化され、居室部が拡大したようなイメージを与えることができた。
また、作業性もよく大人でも快適に収納等の作業することができることが確認された。
さらに、建具を遮蔽し、ダウンライトを点灯することにより「行燈」風のノスタルジックな雰囲気を醸し出すこともできた。
【００２０】
なお、上記の実施例は本考案の１実施例を示したものであり、収納構造体１の大きさ、各部の構造、条件等は、これに限定されるものではなく、実用新案登録請求の範囲に記載の請求範囲において適用されるものである。
【産業上の利用可能性】
【００２１】
本考案の目的をもってすれば、マンションへの適用ばかりでなく、一戸建、公共施設等において適用できる可能性がある。
【図面の簡単な説明】
【００２２】
【図１】図１は、本考案の実施の形態の１例を示す斜視説明図である。
【図２】図１において、上下段の建具を開放した状態を示す斜視説明図である。
【図３】本考案の実施例における、リビング・ダイニング・キッチンに収納構造体（ハッチングＡ部分）を設置した配置図を示す。
【符号の説明】
【００２３】
１  本実施の形態１の収納構造体
２  中間床の上段に位置する支持体
３  中間床
４  中間床の下段に位置する支持体
５  上段に設けられた建具
６  下段に設けられた建具
８  中間床の上段に設けられた奥面壁支持体
９  中間床の下段に設けられた奥面壁支持体
１０  収納構造体の天井
１１  収納構造体の下段床
１３  昇降用踏み台
１４  昇降用手すり
２０  マンションの壁面
３０  マンションの床面
３１  中間床の上表面
４０  湿気、臭気吸収建材
【図１】
0003114870.tif 000003
【図２】
0003114870.tif 000004
【図３】
0003114870.tif 000005